【手続補正書】
【提出日】平成18年3月28日(2006.3.28)
【手続補正１】
【補正対象書類名】特許請求の範囲
【補正対象項目名】全文
【補正方法】変更
【補正の内容】
【特許請求の範囲】
【請求項１】
少なくとも１種のカチオン性ポリガラクトマンナン、または、カチオン性ポリガラクトマンナン誘導体を含む組成物であって、前記カチオン性ポリガラクトマンナン、または、カチオン性ポリガラクトマンナン誘導体は、平均分子量（Ｍｗ）が、下限５，０００〜上限２００，０００であり、光透過率が、１０％水溶液で、光の波長６００ｎｍで８０％より高く、タンパク質含量が、多糖類の１．０重量％未満であり、アルデヒド官能基含量が、少なくとも０．０１ミリ当量／ｇである、前記組成物。
【請求項２】
前記組成物のカチオン置換度（ＤＳ）は、下限約０．００１〜上限約２．０である、請求項１に記載の組成物。
【請求項３】
着色剤、保存剤、抗酸化剤、アルファまたはベータヒドロキシ酸、活性増強剤、乳化剤、機能性ポリマー、増粘剤、アルコール、脂肪または脂肪族化合物、抗菌化合物、ジンクピリチオン、シリコーン材料、炭化水素ポリマー、エモリエント剤、油、界面活性剤、沈殿防止剤、および、それらの混合物からなる群より選択される部分をさらに含む、請求項１に記載の組成物。
【請求項４】
前記機能性ポリマーは、アニオン性、疎水化修飾した、および、両性アクリル酸コポリマー、ビニルピロリドンホモポリマーおよびコポリマー、カチオン性ビニルピロリドンコポリマー、非イオン性、カチオン性、アニオン性および両性セルロースポリマー、アクリルアミドホモポリマー、カチオン性、アニオン性、両性および疎水化修飾したアクリルアミドコポリマー、ポリエチレングリコールポリマーおよびコポリマー、疎水化修飾したポリエーテル、疎水化修飾したポリエーテルアセタール、疎水化修飾したポリエーテルウレタン、関連ポリマー、疎水化修飾したセルロースポリマー、ポリエチレンオキサイド−プロピレンオキサイドコポリマー、および、非イオン性、アニオン性、疎水化修飾した、両性およびカチオン性多糖類、キトサン、および、それらの混合物からなる群より選択される、請求項３に記載の組成物。
【請求項５】
（ａ）少なくとも１種のカチオン性ポリガラクトマンナン、または、カチオン性に誘導体化したポリガラクトマンナンと、Ｍｗを２００，０００未満に減少させる少なくとも１種の試薬（水溶性色素物質および水不溶性物質を含む）とを反応させること、および、（ｂ）水不溶性物質を除去して、請求項１に記載の組成物を製造すること、を含む方法。
【請求項６】
前記カチオン性ポリガラクトマンナンまたはカチオン性に誘導体したポリガラクトマンナンを、水性媒体中で前記試薬で処理し、処理されたポリガラクトマンナンの水性分散液を製造し、前記水不溶性物質を前記分散液から除去して、請求項１に記載の組成物の透明化した溶液を製造する、請求項５に記載の方法。
【請求項７】
前記試薬は、過酸化物、過硫酸塩、過マンガン酸塩、過塩素酸塩、次亜塩素酸塩、酸素、および、生化学的な酸化剤からなる群より選択される酸化試薬である、請求項５または６に記載の方法。
【請求項８】
前記試薬は、加水分解試薬をさらに含む、請求項６に記載の方法。
【請求項９】
前記水溶性色素物質を除去することをさらに含む、請求項５に記載のプロセス。
【請求項１０】
前記水溶性色素物質を除去して、無色の透明化した水溶液を製造することをさらに含む、請求項６に記載の方法。
【請求項１１】
前記水溶性色素物質は、メタ重亜硫酸ナトリウム、亜硫酸水素ナトリウム、次亜塩素酸ナトリウム、または、亜塩素酸ナトリウムを添加することにより除去される、請求項１０に記載の方法。
【請求項１２】
前記水溶性色素物質は、活性炭を添加し、続いて分離工程を行うことによって除去される、請求項１０に記載の方法。
【請求項１３】
前記水溶性色素物質は、分子ふるいを添加し、続いて分離工程を行うことによって除去される、請求項１０に記載の方法。
【請求項１４】
水溶液から、乾燥した状態の前記誘導体化ポリガラクトマンナンを回収することをさらに含む、請求項６に記載の方法。
【請求項１５】
皮膚、毛髪およびテキスタイル基材からなる群より選択される表面をコンディショニングするための、請求項１に記載の組成物を含む組成物。
【請求項１６】
請求項１に記載の組成物を含む家庭用ケア組成物。
【請求項１７】
少なくとも１種のその他の活性家庭用成分をさらに含む、請求項１６に記載の家庭用ケア組成物。
【請求項１８】
前記活性家庭用成分は、昆虫忌避剤、ペット用脱臭剤、ペット用シャンプー活性物質、工業グレードの固形および液体石鹸活性物質、食器洗い用石鹸活性物質、多目的型クリーナー、消毒剤、敷物および室内装飾材料用クリーニング活性物質、ランドリー用柔軟剤活性物質、ランドリー用洗浄剤活性物質、便器クリーニング剤、ファブリック用サイズ剤、集汚れ剤、再付着防止剤、テキスタイル用クリーニング剤、および、平滑剤からなる群より選択される、請求項１７に記載の家庭用ケア組成物。
【請求項１９】
前記組成物は、着色剤、保存剤、抗酸化剤、漂白剤、活性増強剤、乳化剤、機能性ポリマー、増粘剤、アルコール、脂肪または脂肪族化合物、油、界面活性剤、フレグランス、沈殿防止剤、シリコーン材料、および、それらの混合物からなる群より選択される少なくとも１種の追加の成分を含んでもよい、請求項１７に記載の家庭用ケア組成物。
【請求項２０】
請求項１に記載のカチオン性ポリガラクトマンナンを含むパーソナルケア組成物。
【請求項２１】
少なくとも１種のその他の活性パーソナルケア成分をさらに含む、請求項２０に記載のパーソナルケア組成物。
【請求項２２】
前記活性パーソナルケア成分は、香水、皮膚用冷却剤、エモリエント剤、消臭剤、制汗剤活性物質、保湿剤、クレンジング剤、日焼け止め活性物質、ヘアトリートメント剤、口腔ケア剤、義歯接着剤、シェービング活性物質、化粧品、および、ネイルケア活性物質からなる群より選択される、請求項２１に記載のパーソナルケア組成物。
【請求項２３】
前記組成物は、ヘアケア製品、スキンケア製品、日焼けケア製品、ネイルケア製品、および、口腔ケア製品からなる群より選択される、請求項２０または２１に記載のパーソナルケア組成物。
【請求項２４】
前記ヘアケア製品は、シリコーン材料、炭化水素油、パンテノールおよびそれらの誘導体、パントテン酸およびそれらの誘導体、ならびに、それらの混合物からなる群より選択されるコンディショニング剤を含む、請求項２３に記載の組成物。
【請求項２５】
前記スキンケア製品は、シリコーン材料、炭化水素油、パンテノールおよびそれらの誘導体、パントテン酸およびそれらの誘導体、および、それらの混合物からなる群より選択されるコンディショニング剤を含む、請求項２３に記載の組成物。
【請求項２６】
前記ヘアケア製品またはスキンケア製品は、請求項１に記載の組成物を５重量％以下含み、光透過率値が９５％超である、請求項２３に記載の組成物。
【請求項２７】
前記組成物は、着色剤、保存剤、抗酸化剤、アルファまたはベータヒドロキシ酸、活性増強剤、乳化剤、機能性ポリマー、増粘剤、アルコール、脂肪または脂肪族化合物、抗菌化合物、ジンクピリチオン、シリコーン材料、炭化水素ポリマー、エモリエント剤、油、界面活性剤、矯味矯臭薬剤、香料、薬剤、リジュビネイティング剤、沈殿防止剤、および、それらの混合物からなる群より選択される少なくとも１種の追加の成分を含んでもよい、請求項２１に記載のパーソナルケア組成物。
【請求項２８】
組成物総量の５０〜９５重量％の水をさらに含む、請求項１に記載の組成物。
【請求項２９】
安定化するための殺生物剤、香料、矯味矯臭薬剤、着色剤、および、それらの混合物からなる群より選択される少なくとも１種の追加の成分をさらに含む、請求項２８に記載の組成物。
【手続補正２】
【補正対象書類名】明細書
【補正対象項目名】０１４８
【補正方法】変更
【補正の内容】
【０１４８】
本発明を特定の実施形態について説明したが、本発明は、それらに限定されるべきではなく、本発明の本質と範囲を逸脱することなく様々な変化および改変が可能である、と理解されるべきである。
［本発明の態様］
［１］
少なくとも１種のカチオン性ポリガラクトマンナン、または、カチオン性ポリガラクトマンナン誘導体を含む組成物であって、前記カチオン性ポリガラクトマンナン、または、カチオン性ポリガラクトマンナン誘導体は、平均分子量（Ｍｗ）が、下限５，０００〜上限２００，０００であり、光透過率が、１０％水溶液で、光の波長６００ｎｍで８０％より高く（８０％超）であり、タンパク質含量が、多糖類の１．０重量％未満であり、アルデヒド官能基含量が、少なくとも０．０１ミリ当量／ｇである、前記組成物。
［２］
前記組成物のカチオン置換度（ＤＳ）は、下限約０．００１〜上限約２．０である、１に記載の組成物。
［３］
前記カチオン置換度（ＤＳ）の下限は、０．０１カチオンＤＳである、２に記載の組成物。
［４］
前記カチオン置換度（ＤＳ）の上限は、約１．０である、２に記載の組成物。
［５］
前記カチオン性に誘導体化したポリガラクトマンナンの誘導体部分は、アルキル、ヒドロキシアルキル、アルキルヒドロキシアルキル、および、カルボキシメチルからなる群より選択され、前記アルキルは、１〜２２個の炭素を含む炭素鎖を有し、前記ヒドロキシアルキルは、ヒドロキシエチル、ヒドロキシプロピル、および、ヒドロキシブチルからなる群より選択される、１に記載の組成物。
［６］
前記ポリガラクトマンナンは、グアール、および、ローカストビーンからなる群より選択される、１に記載の組成物。
［７］
前記カチオン性部分は、第四アンモニウム化合物から選択される、１に記載の組成物。
［８］
前記第四アンモニウム化合物は、３−クロロ−２−ヒドロキシプロピルトリメチルアンモニウム塩化物、２，３−エポキシ−プロピルトリメチルアンモニウム塩化物、３−クロロ−２−ヒドロキシプロピルトリメチルアンモニウム臭化物、２，３−エポキシ−プロピルトリメチルアンモニウム臭化物；グリシジルトリメチルアンモニウム塩化物、グリシジルトリエチルアンモニウム塩化物、グリシジルトリプロピルアンモニウム塩化物、グリシジルエチルジメチルアンモニウム塩化物、グリシジルジエチルメチルアンモニウム塩化物、および、それらの対応する臭化物およびヨウ化物；３−クロロ−２−ヒドロキシプロピルトリメチルアンモニウム塩化物、３−クロロ−２−ヒドロキシプロピルトリエチルアンモニウム塩化物、３−クロロ−２−ヒドロキシプロピルトリプロピルアンモニウム塩化物、３−クロロ−２−ヒドロキシプロピルエチルジメチルアンモニウム塩化物、および、それらの対応する臭化物およびヨウ化物；および、イミダゾリン環含有化合物のハロゲン化物からなる群より選択される、７に記載の組成物。
［９］
前記光透過率は、９０％超である、１に記載の組成物。
［１０］
前記光透過率は、９５％超である、１に記載の組成物。
［１１］
組成物中のタンパク質含量は、多糖類の約０．５重量％未満である、１に記載の組成物。
［１２］
前記Ｍｗの下限は、２０，０００である、１に記載の組成物。
［１３］
前記Ｍｗの下限は、３５，０００である、１に記載の組成物。
［１４］
前記Ｍｗの下限は、５０，０００である、１に記載の組成物。
［１５］
前記Ｍｗの上限は、１００，０００である、１に記載の組成物。
［１６］
前記Ｍｗの上限は、７０，０００である、１に記載の組成物。
［１７］
着色剤、保存剤、抗酸化剤、アルファまたはベータヒドロキシ酸、活性増強剤、乳化剤、機能性ポリマー、増粘剤、アルコール、脂肪または脂肪族化合物、抗菌化合物、ジンクピリチオン、シリコーン材料、炭化水素ポリマー、エモリエント剤、油、界面活性剤、沈殿防止剤、および、それらの混合物からなる群より選択される部分をさらに含む、１に記載の組成物。
［１８］
前記機能性ポリマーは、アニオン性、疎水化修飾した、および、両性アクリル酸コポリマー、ビニルピロリドンホモポリマーおよびコポリマー、カチオン性ビニルピロリドンコポリマー、非イオン性、カチオン性、アニオン性および両性セルロースポリマー、アクリルアミドホモポリマー、カチオン性、アニオン性、両性および疎水化修飾したアクリルアミドコポリマー、ポリエチレングリコールポリマーおよびコポリマー、疎水化修飾したポリエーテル、疎水化修飾したポリエーテルアセタール、疎水化修飾したポリエーテルウレタン、関連ポリマー、疎水化修飾したセルロースポリマー、ポリエチレンオキサイド−プロピレンオキサイドコポリマー、および、非イオン性、アニオン性、疎水化修飾した、両性およびカチオン性多糖類、キトサン、および、それらの混合物からなる群より選択される、１７に記載の組成物。
［１９］
前記非イオン性、カチオン性、アニオン性および両性セルロースポリマーは、ヒドロキシエチルセルロース、ヒドロキシプロピルセルロース、ヒドロキシプロピルメチルセルロース、カルボキシメチルセルロース、疎水化修飾したカルボキシメチルセルロース、カチオン性ヒドロキシエチルセルロース、カチオン性疎水化修飾したヒドロキシエチルセルロース、疎水化修飾したヒドロキシエチルセルロース、疎水化修飾したヒドロキシプロピルセルロース、カチオン性疎水化修飾したヒドロキシプロピルセルロース、カチオン性カルボキシメチルヒドロキシエチルセルロース、および、カチオン性ヒドロキシプロピルセルロースからなる群より選択される、１８に記載の組成物。
［２０］
前記非イオン性、アニオン性、疎水化修飾した、両性およびカチオン性多糖類は、カルボキシメチルグアール、アルギン酸塩、ヒドロキシプロピルグアール、疎水化修飾したグアール、カルボキシメチルグアールヒドロキシプロピルトリメチルアンモニウム塩化物、グアールヒドロキシプロピルトリメチルアンモニウム塩化物、および、ヒドロキシプロピルグアールヒドロキシプロピルトリメチルアンモニウム塩化物からなる群より選択される、１８に記載の組成物。
［２１］
前記増粘剤は、ＮａＣｌ、ＮＨ４Ｃｌ、ＫＣｌ、および、脂肪アルコール、脂肪酸エステル、脂肪酸アミド、脂肪アルコールポリエチレングリコールエーテル、ソルビトールポリエチレングリコールエーテル、コカミドプロピルベタイン、クレー、シリカ、セルロースポリマー、キサンタン、および、それらの混合物からなる群より選択される、１７に記載の組成物。
［２２］
前記シリコーン材料は、シロキサン構造にポリオール、アミノ、または、その他の官能基を有するシクロシロキサン、直鎖状シロキサン、櫛型またはグラフトシロキサン構造、および、それらの混合物からなる群より選択される、１７に記載の組成物。
［２３］
前記その他の官能基は、場合により、Ｃ６〜Ｃ２４アルキル基、置換または非置換アミン基、チオール基、アルコキシル化基、ヒドロキシル基、アシルオキシアルキル基を含む、ポリエチレンオキシ基および／またはポリプロピレンオキシ基からなる群より選択される、２２に記載の組成物。
［２４］
前記シリコーン材料は、ポリアルキルシロキサン、ポリアリールシロキサン、ポリアルキルアリールシロキサン、および、それらの混合物からなる群より選択される、１７に記載の組成物。
［２５］
前記ポリアルキルシロキサンは、ポリジメチルシロキサン、鎖の末端がヒドロキシル化されたポリジメチルシロキサン、および、それらの混合物からなる群より選択される、２４に記載の組成物。
［２６］
前記界面活性剤は、アニオン性、両性、または、非イオン性である、１７に記載の組成物。
［２７］
（ａ）少なくとも１種のカチオン性ポリガラクトマンナン、または、カチオン性に誘導体化したポリガラクトマンナンと、Ｍｗを２００，０００未満に減少させる少なくとも１種の試薬（水溶性色素物質および水不溶性物質を含む）とを反応させること、および、（ｂ）水不溶性物質を除去して、１に記載の組成物を製造すること、を含むプロセス。
［２８］
前記カチオン性ポリガラクトマンナンまたはカチオン性に誘導体したポリガラクトマンナンを、水性媒体中で前記試薬で処理し、処理されたポリガラクトマンナンの水性分散液を製造し、前記水不溶性物質を前記分散液から除去して、１に記載の組成物の透明化した溶液を製造する、２７に記載のプロセス。
［２９］
前記試薬は、過酸化物、過硫酸塩、過マンガン酸塩、過塩素酸塩、次亜塩素酸塩、酸素、および、生化学的な酸化剤からなる群より選択される酸化試薬である、２７または２８に記載のプロセス。
［３０］
前記過酸化物は過酸化水素である、２９に記載のプロセス。
［３１］
前記生化学的な酸化試薬は、オキシゲナーゼである、２９に記載のプロセス。
［３２］
前記オキシゲナーゼは、ガラクトースオキシダーゼである、３１に記載のプロセス。
［３３］
前記試薬は、加水分解試薬をさらに含む、２８に記載のプロセス。
［３４］
前記加水分解試薬は、加水分解酵素からなる群より選択される、３３に記載のプロセス。
［３５］
前記加水分解酵素は、ヘミセルラーゼからなる群より選択される、３４に記載のプロセス。
［３６］
前記ヘミセルラーゼはマンナナーゼである、３５に記載のプロセス。
［３７］
前記加水分解試薬は有機酸または鉱酸である、３３に記載のプロセス。
［３８］
前記水溶性色素物質を除去することをさらに含む、２７に記載のプロセス。
［３９］
前記水溶性色素物質を除去して、無色の透明化した水溶液を製造することをさらに含む、２８に記載のプロセス。
［４０］
前記水溶性色素物質は、メタ重亜硫酸ナトリウム、亜硫酸水素ナトリウム、次亜塩素酸ナトリウム、または、亜塩素酸ナトリウムを添加することにより除去される、３９に記載のプロセス。
［４１］
前記水溶性色素物質は、活性炭を添加し、続いて分離工程を行うことによって除去される、３９に記載のプロセス。
［４２］
前記水溶性色素物質は、分子ふるいを添加し、続いて分離工程を行うことによって除去される、３９に記載のプロセス。
［４３］
水溶液から、乾燥した状態の前記誘導体化ポリガラクトマンナンを回収することをさらに含む、２８に記載のプロセス。
［４４］
前記カチオン性ポリガラクトマンナン、または、カチオン性に誘導体化したポリガラクトマンナンは、粉末、フラワー、または、スプリットの形態である、２７または２８に記載のプロセス。
［４５］
皮膚、毛髪およびテキスタイル基材からなる群より選択される表面をコンディショニングするための、１に記載の組成物を含む組成物。
［４６］
１に記載の組成物を含む家庭用ケア組成物。
［４７］
少なくとも１種のその他の活性家庭用成分をさらに含む、４６に記載の家庭用ケア組成物。
［４８］
前記活性家庭用成分は、昆虫忌避剤、ペット用脱臭剤、ペット用シャンプー活性物質、工業グレードの固形および液体石鹸活性物質、食器洗い用石鹸活性物質、多目的型クリーナー、消毒剤、敷物および室内装飾材料用クリーニング活性物質、ランドリー用柔軟剤活性物質、ランドリー用洗浄剤活性物質、便器クリーニング剤、ファブリック用サイズ剤、集汚れ剤、再付着防止剤、テキスタイル用クリーニング剤、および、平滑剤からなる群より選択される、４７に記載の家庭用ケア組成物。
［４９］
前記組成物は、着色剤、保存剤、抗酸化剤、漂白剤、活性増強剤、乳化剤、機能性ポリマー、増粘剤、アルコール、脂肪または脂肪族化合物、油、界面活性剤、フレグランス、沈殿防止剤、シリコーン材料、および、それらの混合物からなる群より選択される少なくとも１種の追加の成分を含んでもよい、４７に記載の家庭用ケア組成物。
［５０］
１に記載のカチオン性ポリガラクトマンナンを含むパーソナルケア組成物。
［５１］
少なくとも１種のその他の活性パーソナルケア成分をさらに含む、５０に記載のパーソナルケア組成物。
［５２］
前記活性パーソナルケア成分は、香水、皮膚用冷却剤、エモリエント剤、消臭剤、制汗剤活性物質、保湿剤、クレンジング剤、日焼け止め活性物質、ヘアトリートメント剤、口腔ケア剤、義歯接着剤、シェービング活性物質、化粧品、および、ネイルケア活性物質からなる群より選択される、５１に記載のパーソナルケア組成物。
［５３］
前記組成物は、ヘアケア製品、スキンケア製品、日焼けケア製品、ネイルケア製品、および、口腔ケア製品からなる群より選択される、５０または５１に記載のパーソナルケア組成物。
［５４］
前記ヘアケア製品は、シリコーン材料、炭化水素油、パンテノールおよびそれらの誘導体、パントテン酸およびそれらの誘導体、ならびに、それらの混合物からなる群より選択されるコンディショニング剤を含む、５３に記載の組成物。
［５５］
前記スキンケア製品は、シリコーン材料、炭化水素油、パンテノールおよびそれらの誘導体、パントテン酸およびそれらの誘導体、および、それらの混合物からなる群より選択されるコンディショニング剤を含む、５３に記載の組成物。
［５６］
前記ヘアケア製品またはスキンケア製品は、１に記載の組成物を５重量％以下含み、光透過率値が９５％超である、５３に記載の組成物。
［５７］
前記組成物は、着色剤、保存剤、抗酸化剤、アルファまたはベータヒドロキシ酸、活性増強剤、乳化剤、機能性ポリマー、増粘剤、アルコール、脂肪または脂肪族化合物、抗菌化合物、ジンクピリチオン、シリコーン材料、炭化水素ポリマー、エモリエント剤、油、界面活性剤、矯味矯臭薬剤、香料、薬剤、リジュビネイティング剤、沈殿防止剤、および、それらの混合物からなる群より選択される少なくとも１種の追加の成分を含んでもよい、５１に記載のパーソナルケア組成物。
［５８］
組成物総量の５０〜９５重量％の水をさらに含む、１に記載の組成物。
［５９］
安定化するための殺生物剤、香料、矯味矯臭薬剤、着色剤、および、それらの混合物からなる群より選択される少なくとも１種の追加の成分をさらに含む、５８に記載の組成物。